(57)【特許請求の範囲】
【請求項１】
（ａ−１）下記一般式（Ｉ）の第３級アミンオキシドと、（ａ−２）下記一般式（ＩＩ）の第３級アミンオキシドと、（ｂ）炭素数１０〜１８のアルキル基を有する陰イオン性界面活性剤と、を含有する液体洗浄剤組成物であって、該液体洗浄剤組成物において（ａ−１）が０．５〜１５質量％、（ｂ）が５〜６０質量％であり、（ａ−１）と（ａ−２）との合計が０．５〜１５質量％であり、〔（ａ−１）成分＋（ａ−２）成分〕／（ｂ）成分の質量比が１／２０〜１／１である液体洗浄剤組成物。
【化１】
0005238197.tif 000010
（式中、Ｒ1aは炭素数８〜１２の炭化水素基、Ｒ1b及びＲ1cは炭素数１〜３のアルキル基又はヒドロキシアルキル基、ａは平均付加モル数であって１〜１０の数である。）
【化２】
0005238197.tif 000011
（式中、Ｒ2aは炭素数８〜２０の炭化水素基であり、Ｒ2b及びＲ2cは炭素数１〜３のアルキル基又はヒドロキシアルキル基、Ｒ2dは炭素数１〜６のアルカンジイル基であり、Ａはカルボニル基を有する連結基であり、ｂは０又は１である。）
【請求項２】
（ｂ）が炭素数１０〜１４のアルキル基を有し、炭素数２又は３のオキシアルキレン基が平均１．０〜５．０モル付加したポリオキシアルキレンアルキルエーテル硫酸エステル塩である請求項１に記載の液体洗浄剤組成物。
【請求項３】
一般式（Ｉ）のＲ1b及びＲ1cはメチル基又はエチル基である、請求項１又は２に記載の液体洗浄剤組成物。
【発明の詳細な説明】
【技術分野】
【０００１】
本発明は、液体洗浄剤組成物に関する。
【背景技術】
【０００２】
食器用洗浄剤は、洗浄力の観点から界面活性剤として陰イオン界面活性剤を主成分として用いるものが多い。また、食器用洗浄剤に対する、洗浄時の泡立性及び泡持性の要求から、増泡剤としてアミンオキシド型界面活性剤が好ましく併用される。アミンオキシド型界面活性剤は、泡特性のみならず、陰イオン界面活性剤と併用することで洗浄を向上させる。これは、アミンオキシドが、中性から酸性領域において陽イオン性の性質を持つため、陰イオン界面活性剤の陰イオンとイオン性のコンプレックスを形成し、これにより油に対する乳化力が向上し、結果として洗浄力が向上するものと思われる。
【０００３】
食器用洗剤を使用する消費者が洗浄力を実感する重要な指標として、泡立ち性が挙げられる。食器及び調理器具は、食材及び調理時に用いる油脂によって激しく汚れることが通常であり、泡立ちは、油が共存する系でも十分に泡立つこと、即ち耐油性に優れることが必要である。仮に泡立ち性が乏しいと洗浄剤の使用量が増え、環境中への洗浄剤排出量の増加を招く。従って、食器用洗浄剤の泡立ち性、耐油性を向上させることは、界面活性剤排出による環境負荷の軽減を図ることにつながる。
【０００４】
特許文献１には、アミンオキシド型界面活性剤、アニオン界面活性剤、天然多糖類及び多価アルコールを含有する台所用液体洗浄剤が開示されている。また、特許文献２には、非石鹸系アニオン界面活性剤、アルキルジメチルアミンオキシドに代表される半極性界面活性剤、高級アルコール、及び無機系研磨剤を含有し、特定の粘度を有する無機系研磨剤含有液体洗浄剤が開示されている。しかしながら、これらの洗浄剤におけるアミンオキシド型界面活性剤は、従来から用いられている界面活性剤であることから、起泡性及び耐油性能等の洗浄効果の点では、いまだ十分に満足がいくものとはいえず、これらの性能を同時に高い水準で満足する液体洗浄剤組成物の開発が望まれている。
【０００５】
【特許文献１】特開２００１−１９９９３号公報
【特許文献２】特開２００１−４９２９１号公報
【発明の開示】
【発明が解決しようとする課題】
【０００６】
本発明は、泡立ち性及び耐油性能等の洗浄性能を同時に高い水準で満足する液体洗浄剤組成物を提供することを課題とする。
【課題を解決するための手段】
【０００７】
本発明者らは、特定のアミンオキシド型界面活性剤と、特定の陰イオン界面活性剤とを所定の割合で含有する液体洗浄剤組成物が、上記課題を解決しうることを見出した。
すなわち、本発明は次の液体洗浄剤組成物を提供する。
１．（ａ−１）下記一般式（Ｉ）の第３級アミンオキシドと、（ｂ）炭素数１０〜１８のアルキル基を有する陰イオン性界面活性剤とを含有する液体洗浄剤組成物であって、該液体洗浄剤組成物において（ａ−１）が０．５〜１５質量％、（ｂ）が５〜６０質量％である液体洗浄剤組成物。
【０００８】
【化１】
0005238197.tif 000002
【０００９】
（式中、Ｒ1aは炭素数８〜２０の炭化水素基、Ｒ1b及びＲ1cは炭素数１〜３のアルキル基又はヒドロキシアルキル基、ａは平均付加モル数であって１〜１０の数である。）
２．さらに、（ａ−２）下記一般式（ＩＩ）の第３級アミンオキシドを含有する上記１に記載の液体洗浄剤組成物。
【００１０】
【化２】
0005238197.tif 000003
【００１１】
（式中、Ｒ2aは炭素数８〜２０の炭化水素基であり、Ｒ2b及びＲ2cは炭素数１〜３のアルキル基又はヒドロキシアルキル基、Ｒ2dは炭素数１〜６のアルカンジイル基であり、Ａはカルボニル基を有する連結基であり、ｂは０又は１である。）
【発明の効果】
【００１２】
本発明の液体洗剤剤組成物によれば、泡立ち性及び耐油性能等の洗浄性能を同時に高い水準で満足することができる。
【発明を実施するための最良の形態】
【００１３】
［（ａ−１）成分：第３級アミンオキシド］
本発明にかかる（ａ−１）成分は、下記一般式（Ｉ）で表される第３級アミンオキシドである。
【００１４】
【化３】
0005238197.tif 000004
【００１５】
式中、Ｒ1aは炭素数８〜２０の炭化水素基であり、好ましい炭素数は１０〜１６、好ましい炭化水素基は、直鎖又は分岐鎖のアルキル基又はアルケニル基である。Ｒ1aは単独のアルキル基又はアルケニル基でもよく、異なるアルキル基又はアルケニル基を有する混合アルキル基又は混合アルケニル基でもよい。混合アルキル基又は混合アルケニル基の場合は、ヤシ油又はパーム核油に由来する植物油から誘導されるアルキル組成又はアルケニル組成を有するものが好ましい。Ｒ1aは直鎖のアルキル基が特に好ましく、なかでも、デシル基、ラウリル基、ミリスチル基が好ましい。
【００１６】
Ｒ1b及びＲ1cは炭素数１〜３のアルキル基又はヒドロキシアルキル基であり、メチル基、エチル基が好ましい。また、ａは平均付加モル数であって１〜１０の数であり、分布を有していても単独分布でもよく、泡立ち性および耐油性能などの洗浄性の観点から１〜５が好ましく、１〜３がより好ましく、１〜１．５がさらに好ましく、１が特に好ましい。
【００１７】
［（ｂ）成分：陰イオン性界面活性剤］
本発明にかかる（ｂ）成分は、炭素数１０〜１８のアルキル基を有する陰イオン性界面活性剤であり、その含有量は液体洗浄剤組成物に対して５〜６０質量％である。（ｂ）成分としては、炭素数１０〜１５のアルキル基を有するアルキルベンゼンスルホン酸塩、炭素数１０〜１６のモノアルキル硫酸エステル塩、炭素数１０〜１６のアルキル基を有し炭素数２又は３のオキシアルキレン基が平均１．０〜４．０モル付加したポリオキシアルキレンアルキルエーテル硫酸エステル塩、炭素数８〜１６のα−オレフィンスルホン酸塩、α−スルホ脂肪酸（炭素数８〜１６）低級アルキル（炭素数１〜３）エステル塩を好ましく挙げることができる。塩としてはナトリウム塩、カリウム塩、マグネシウム塩、アルカノールアミン塩が挙げられ、なかでも洗浄効果の観点から、ナトリウム塩、カリウム塩、マグネシウム塩が特に好ましい。
【００１８】
（ｂ）成分としては、炭素数１０〜１４のアルキル基を有し、炭素数２又は３のオキシアルキレン基、好ましくはオキシエチレン基が平均１．０〜５．０モル、より好ましくは平均１．０〜３．０モル、特に好ましくは１．５〜３．０モル付加したポリオキシアルキレンアルキルエーテル硫酸エステル塩であって、ナトリウム塩、カリウム塩、又はマグネシウム塩を用いることが洗浄効果の点から特に好ましく、高濃度の陰イオン界面活性剤を含有する組成物の低温及び高温における貯蔵安定性を改善できる点から好ましい。
【００１９】
［（ａ−２）成分：第３級アミンオキシド］
本発明の液体洗浄剤組成物に必要に応じて添加される（ａ−２）成分は、下記一般式（ＩＩ）で表される第３級アミンオキシドである。
【００２０】
【化４】
0005238197.tif 000005
【００２１】
式中、Ｒ2aは炭素数８〜２０の炭化水素基であり、好ましい炭素数は１０〜１６、好ましい炭化水素基は、直鎖又は分岐鎖のアルキル基又はアルケニル基である。Ｒ2aは単独のアルキル基又はアルケニル基でもよく、異なるアルキル基又はアルケニル基を有する混合アルキル基又は混合アルケニル基でもよい。混合アルキル基又は混合アルケニル基の場合は、ヤシ油又はパーム核油に由来する植物油から誘導されるアルキル組成又はアルケニル組成を有するものが好ましい。
Ｒ2aとしては直鎖のアルキル基が特に好ましく、なかでもラウリル基（又はラウリン酸残基）及び／又はミリスチル基（又はミリスチン酸残基）が好ましい。Ｒ2aがラウリル基（又はラウリン酸残基）及びミリスチル基（又はミリスチン酸残基）の混合物である場合、ラウリル基（又はラウリン酸残基）／ミリスチル基（又はミリスチン酸残基）のモル比は、洗浄力及び泡立ち性の観点から、２０／８０〜９５／５が好ましく、５０／５０〜９０／１０がより好ましい。
【００２２】
Ｒ2b及びＲ2cは炭素数１〜３のアルキル基又はヒドロキシアルキル基であり、メチル基、エチル基が好ましい。
Ｒ2dは炭素数１〜６のアルカンジイル基、好ましくは炭素数２又は３の直鎖又は分岐鎖のアルカンジイル基であり、なかでもプロパン−１，２−ジイル基が好ましい。Ａはカルボニル基を有する連結基であって、好ましくは−ＣＯＯ−、−ＣＯＮＨ−、−ＯＣＯ−、−ＮＨＣＯ−から選ばれる基であり、−ＣＯＯ−、−ＣＯＮＨ−がより好ましく、−ＣＯＮＨ−が特に好ましい。ｂは０又は１である。
【００２３】
［その他の成分］
本発明の液体洗浄剤組成物においては、洗浄力を強化する目的から（ａ−１）成分、（ａ−２）成分、及び（ｂ）成分以外の界面活性剤（以下、（ｃ）成分ということがある。）を含有させることが好ましく、（ｃ）成分としては、両性界面活性剤、及び非イオン界面活性剤から選ばれる化合物が好ましい。
【００２４】
両性界面活性剤としては、下記一般式（ＩＩＩ）で表される化合物（以下、（ｃ−１）成分ということがある。）を好ましく用いることができる。
【００２５】
【化５】
0005238197.tif 000006
【００２６】
式中、Ｒ3aは炭素数９〜２３のアルキル基又はアルケニル基であり、好ましくは炭素数９〜１５、特に９〜１３のアルキル基である。Ｒ3b及びＲ3cはそれぞれ炭素数１〜３のアルキル基又はヒドロキシアルキル基であり、メチル基、又はヒドロキシエチル基が好ましい。Ｒ3dはヒドロキシ基で置換していてもよい炭素数１〜５のアルカンジイル基である。Ｒ3eは炭素数１〜６のアルカンジイル基であり、好ましくは炭素数２又は３である。Ｂは−ＣＯＯ−、−ＣＯＮＨ−、−ＯＣＯ−、−ＮＨＣＯ−、−Ｏ−から選ばれる基であり、−ＣＯＮＨ−が好ましい。Ｄは−ＳＯ3-、−ＯＳＯ3-、−ＣＯＯ-から選ばれる基であり、−ＳＯ3-、又は−ＣＯＯ-が好ましい。ｃは０又は１の数である。また、Ｄが−ＳＯ3-の場合にはＲ3dは−ＣＨ2ＣＨ（ＯＨ）ＣＨ2−が好ましく、Ｄが−ＣＯＯ-の場合にはＲ3dはメチレン基が好ましい。
【００２７】
非イオン界面活性剤としては、下記一般式（ＩＶ）で表される化合物（以下、（ｃ−２）成分ということがある。）を好ましく用いることができる。
【００２８】
【化６】
0005238197.tif 000007
【００２９】
式中、Ｒ4aは炭素数７〜１８のアルキル基又はアルケニル基であり、Ｒ4bは炭素数２又は３のアルカンジイル基である。ｄは２〜１００の数を示す。Ｅは−Ｏ−、−ＣＯＮ−又は−Ｎ−であり、Ｅが−Ｏ−の場合にはｅは１であり、Ｅが−ＣＯＮ−又は−Ｎ−の場合にはｅは２である。
一般式（ＩＶ）の化合物の具体例としては、下記一般式（ＩＶ−ａ）〜（ＩＶ−ｄ）で表される化合物を挙げることができる。
【００３０】
【化７】
0005238197.tif 000008
【００３１】
式中、Ｒ4aは前記と同様である。ｆは２〜１００の数である。ｇ及びｈはそれぞれ独立に２〜７０の数（但し、ｇとｈの合計は４〜１００の数である。）であり、エチレンオキシドとプロピレンオキシドは、ランダム又はブロック付加体であってもよい。また、ｉ及びｊの合計は３〜１５０の数である。
【００３２】
また、本発明の液体洗浄剤組成物は、本発明の効果を損なわない範囲において、上記の両性界面活性剤及び非イオン界面活性剤以外にも、一般に洗浄剤に配合される成分を配合することができる。例えば、高級脂肪酸アルカノールアミド、脂肪酸モノグリセリド等の脂肪酸と多価アルコールとのエステル；グリセリン、プロピレングリコール、１，３−ブチレングリコール等の多価アルコール；エタノール、プロパノール等の低級アルコールや、ポリエチレングリコール、プロピレングリコール、グリセリン等の粘度調節剤；アリールスルホン酸及びこれらのナトリウム、カリウム又はマグネシウム塩等のハイドロトロープ剤；クエン酸、エチレンジアミン四酢酸誘導体、ニトリロトリ酢酸三ナトリウム等のキレート剤；安息香酸ナトリウム、パラオキシ安息香酸エステル等の防腐剤；色素；香料等を配合することができる。
【００３３】
［液体洗浄剤組成物］
本発明の液体洗浄剤組成物における各成分の含有量は、以下の通りである。
本発明の液体洗浄剤組成物における（ａ−１）成分の含有量は、洗浄力及び泡立ち性の点から、０．５〜１５質量％であり、好ましくは１〜１０質量％、より好ましくは１〜８質量％である。（ａ−２）成分を併用する場合は、（ａ−１）成分と（ａ−２）成分との含有量の合計は、泡立ち性の点から、０．５〜１５質量％が好ましく、より好ましくは１〜１０質量％、さらに好ましくは２〜８質量％である。また、泡立ち性の点から、（ａ−１）／（ａ−２）の質量比は、１００／０〜５／９５が好ましく、１００／０〜１５／８５がより好ましく、１００／０〜３０／７０がさらに好ましい。
本発明の液体洗浄剤組成物における（ｂ）成分の含有量は、５〜６０質量％であり、洗浄力の点から、好ましくは１０〜４０質量％、より好ましくは１０〜２５質量％である。また、〔（ａ−１）成分＋（ａ−２）成分〕／（ｂ）成分の質量比は、洗浄力及び泡立ち性の点から、１／２０〜１／１が好ましく、１／１０〜１／１がより好ましく、１／７〜１／１がさらに好ましい。
本発明の液体洗浄剤組成物における（ｃ）成分の含有量は、洗浄力及び泡立ち性の点から、１〜２０質量％が好ましく、５〜１７質量％がより好ましく、８〜１５質量％がさらに好ましい。
【００３４】
本発明の液体洗浄剤組成物は、上記の成分を溶解した水溶液の形態が使い勝手、及び貯蔵安定性の点から好ましく、水の含有量は、粘度の点から３０〜９５質量％が好ましく、３５〜９０質量％がより好ましく、３５〜８５質量％がさらに好ましい。また、該組成物の２０℃におけるｐＨは６〜１２が好ましく、６〜１０とすることが洗浄力の点から好ましい。ｐＨ調整剤としては、塩酸や硫酸等の無機酸や、クエン酸、コハク酸、リンゴ酸、フマル酸、酒石酸、マロン酸、マレイン酸等の有機酸等の酸剤や、水酸化ナトリウムや水酸化カリウム等のアルカリ剤を好ましく挙げることができる。
このようにして得られた本発明の液体洗浄剤組成物は、食器、各種調理器具の洗浄等の台所用、台所周辺の洗浄等の洗浄に好適に用いることができ、特に食器用の洗浄に好適に用いることができる。
【実施例】
【００３５】
各実施例及び比較例で調整した液体洗浄剤組成物を、以下の方法に従って評価した。
１．泡立ち性の評価
各実施例及び比較例で調製した液体洗浄剤組成物０．４ｍｌとイオン交換水４．６ｍｌとを、目盛付ねじ口沈殿管（容量１０ｍｌ）にいれて、ハンドレスシェーカー（簡易型振とう機ＳＨＫ−ＣＯＣＫ；旭テクノグラス株式会社製）で３０秒振とうさせた直後の泡量（ｍｌ）を測定した。
２．耐油性の評価
各実施例及び比較例で調製した液体洗浄剤組成物０．２ｍｌ、イオン交換水１．８ｍｌ及び菜種油（シグマアルドリッチ社製、ロット番号：Ｕ２５７７）２ｍｌを、目盛付ねじ口沈殿管（容量１０ｍｌ）にいれて、ハンドレスシェーカー（簡易型振とう機ＳＨＫ−ＣＯＣＫ；旭テクノグラス株式会社製）で３０秒振とうさせた直後の泡量（ｍｌ）を測定した。
【００３６】
実施例２，３，５、参考例１，４、比較例１〜４
第１表に示す成分及び配合量で、液体洗浄剤組成物を調製した。液体洗浄剤組成物を調製後、泡立ち性、及び耐油性の評価を上記の方法に従い行った。各実施例、参考例及び比較例で得られた液体洗浄剤組成物の評価を第１表に示す。
【００３７】
【表１】
0005238197.tif 000009
【００３８】
第１表に示す各成分の詳細は下記の通りである。
（ａ−１）成分：
・ａ−１：Ｎ，Ｎ−ジメチル−（２−ヒドロキシ−３−ドデシロキシプロピル）−アミンオキシド
（ａ−２）成分：
・ａ−２−（１）：ラウリルジメチルアミンオキシド
・ａ−２−（２）：ラウリン酸アミドプロピルアミンオキシド
（ｂ）成分：
・ｂ−（１）：ポリオキシエチレンドデシルエーテル硫酸ナトリウム（平均のポリオキシエチレン付加モル数：３．０である。）
・ｂ−（２）：ｎ−ドデシルベンゼンスルホン酸ナトリウム（関東化学株式会社製）
【００３９】
第１表において、参考例１と比較例１、実施例２〜３と比較例２〜３、参考例４と比較例４とを対比すると明らかなように、実施例及び参考例は比較例よりも泡立ち性及び耐油性の両方において高い水準にあり、優れた洗浄効果を有することが分かる。比較例１〜４の液体洗浄剤組成物は、（ａ−１）成分を含有しないため、泡立ち性及び耐油性のいずれも不十分であった。